(57)【要約】本発明は、ワンタッチで携帯電話を自動的に開くことが可能な携帯電話用の自動ヒンジモジュールに関する。本発明の自動ヒンジモジュールは、ただボタンを押すことによって、自動的に携帯電話を開く。ボタンが押される時、携帯電話の折畳み部に連結されたハウジングは、圧縮されたねじりバネの弾性的復元力によって回転させられ、それによって、携帯電話が開く。
2011503466.tif 000002
【特許請求の範囲】
【請求項１】
ボタンを押すことによって携帯電話を自動的に開く携帯電話の自動ヒンジモジュールであって、携帯電話を開くために、ボタンが押される時、携帯電話の折畳み部に連結されたハウジングは、圧縮されたねじりバネの弾性的復元力により回転させられるヒンジモジュール。
【請求項２】
中空の第一ハウジングと、
前記第一ハウジングを通過するシャフトと、
前記シャフトの一端に連結されたボタンと、
前記シャフトに連結されたメインカムと、
前記メインカムにカム接触した状態で回転可能なサブカムと、
前記サブカムを前記メインカムに向かって弾性的に支持するための第一バネと、
前記シャフトに回転可能に連結されるとともに、一端において前記サブカム内に挿入され、かつ他端において前記第一ハウジング内に挿入されて、前記サブカム又は前記第一ハウジングと共に回転するスライダと、
前記スライダに接触して、前記スライダを移動させるために、前記シャフトに固定して連結される係合部材と、
前記スライダを弾性的に支持するための第二バネと、
前記第一ハウジングの他端及び前記シャフトの他端に係合するストッパと、
一端において前記第一ハウジングに固定され、かつ他端において前記ストッパに固定されるねじりバネとを備える、請求項１に記載のヒンジモジュール。
【請求項３】
係止突起は前記スライダの外周面に突出して形成され、前記係止突起の一端が挿入される第一スロット孔は前記サブカムに形成され、前記係止突起の他端が挿入される第二スロット孔は前記第一ハウジングに形成される、請求項２に記載のヒンジモジュール。
【請求項４】
前記係合部材は、前記シャフトの移動によって、前記スライダを押し、前記スライダの係止突起を前記サブカム上に形成された前記第一スロット孔から分離する、請求項３に記載のヒンジモジュール。
【請求項５】
前記係止突起と、前記第一スロット孔と、前記第二スロット孔との各々は等間隔で離間するように複数形成される、請求項３に記載のヒンジモジュール。
【請求項６】
前記係止突起と、前記第一スロット孔と、前記第二スロット孔との各々は１２０度の間隔で離間する、請求項５に記載のヒンジモジュール。
【請求項７】
第二傾斜面が前記係止突起に形成され、第一傾斜面が前記第一スロット孔に形成され、前記第一傾斜面は前記ねじりバネの回転方向において前記第二傾斜面に接触するように構成される、請求項３に記載のヒンジモジュール。
【請求項８】
前記メインカムは、前記シャフトに取付けられ、かつ前記携帯電話に固定して連結される固定カムと、前記シャフトに回転可能に取付けられ、かつ前記固定カム及び前記サブカムの間においてカム接触する保持カムとを備え、前記シャフトは前記固定カムに対して独立して直線的に移動する、請求項３から７のいずれか一項に記載のヒンジモジュール。
【請求項９】
複数の第一カム突起が前記第一スロット孔に対向して突出するように前記サブカムに形成され、該第一カム突起が挿入される複数の第一カム溝が前記保持カムに形成され、前記第一カム突起は互いに前記第一スロット孔と同じ間隔で離間する、請求項８に記載のヒンジモジュール。
【請求項１０】
前記スライダの係止突起が挿入される第三スロット孔が前記保持カムに形成される、請求項８に記載のヒンジモジュール。
【請求項１１】
第二カム突起が前記固定カムにおいて前記保持カムに向かって形成され、第二カム溝及び第三カム溝が前記保持カムにおいて前記固定カムに向かって形成され、前記保持カムが０度に回転する時、前記第二カム突起は前記第二カム溝に配置され、前記保持カムが回転する時、前記第二カム突起は前記第三カム溝に配置され、前記第二カム溝および前記第三カム溝の間の間隔は前記第一カム溝の間の間隔と同一である、請求項９に記載のヒンジモジュール。
【請求項１２】
前記第三カム溝の傾斜面は前記第二カム溝の傾斜面より緩やかである、請求項１１に記載のヒンジモジュール。
【請求項１３】
長尺状開口が前記シャフトの移動方向に沿って前記固定カムに形成され、前記シャフトを貫通する固定ピンが前記長尺状開口に取付けられる、請求項８に記載のヒンジモジュール。
【請求項１４】
前記ヒンジモジュールは、前記メインカムと、前記サブカムと、前記スライダと、前記第一バネとを包囲するための第二ハウジングをさらに備え、該第二ハウジングは前記第一ハウジングの一部を包囲し、かつ前記第一ハウジングと共に回転する、請求項２に記載のヒンジモジュール。
【請求項１５】
前記シャフトの前記他端は前記ストッパに連結され、前記ストッパは前記シャフトによって回転させられることを防止され、前記シャフトは前記ストッパに対して直線的に移動するように取付けられる、請求項２に記載のヒンジモジュール。
【請求項１６】
回転防止突起が前記シャフトの前記他端に突出するように形成され、前記回転防止突起が挿入される回転防止溝が前記ストッパに形成され、前記シャフトは前記ストッパに対して独立して直線的に移動可能であり、かつ前記ストッパに対して回転することを防止される、請求項１５に記載のヒンジモジュール。
【発明の詳細な説明】
【技術分野】
【０００１】
本発明は一般に、携帯電話の自動ヒンジモジュールに関し、より具体的にはワンタッチで携帯電話を自動的に開くことが可能な携帯電話の自動ヒンジモジュールに関する。
【背景技術】
【０００２】
従来、様々な型の携帯端末が導入されてきた。携帯端末は、一般に、開閉動作によって分類することができる。携帯端末は、まず棒状端末から始まった。さらに進んで、フリップ式端末，折畳み式端末，スライド式端末，ポップアップ式端末，スライド及び回転式端末等の端末が消費者の要求に応じるために、連続して導入されてきた。
【０００３】
上述の端末は、年月を経て、薄型化および小型化が進み始めた。さらに、このような端末は、消費者の要求に応じて、多面的機能も有する。例えば、端末は、様々なコードを用いてメロディを演奏することに適切なスピーカ装置を備える。端末は、何百万ピクセルも有するカラー表示装置も備える。さらに、本質的な電話通話機能に加えて、端末は、（例えば、ＭＰ３プレイヤ等を用いた）音楽再生や、ゲーム、（例えば、表示装置等を用いた）ディジタルマルチメディア放送機能等の多くの機能も備える。
【０００４】
特に、折畳み式端末は、サブボディとして折畳み部を備える。折畳み部はメインボディに対して一定の角度で開放可能である。さらに、折畳み部をメインボディに連結するヒンジモジュールは、開閉中に、感動を与え得る。
【０００５】
従来のヒンジモジュールは、折畳み部またはメインボディのヒンジアーム内に挿入可能である。ヒンジモジュールは他のヒンジアームと相対的な連動を介して作動する。
しかしながら、上述の折畳み式端末のヒンジモジュールにおいて、使用者は指で直接、メインボディから折畳み部を開かなければならない。従って、高齢者や身体障害者等にとって、折畳み部を開けることは困難である。
【発明の概要】
【発明が解決しようとする課題】
【０００６】
本発明は上述の問題を解決することを目的とする。本発明の目的は、ワンタッチでただボタンを押すことによって折畳み部を自動的に開くことを可能にし、それによって使用者（例えば、高齢者，身体障害者等）が簡単に折畳み部を開くことを可能とする自動ヒンジモジュールを提供することにある。
【課題を解決するための手段】
【０００７】
上述の目的を達成するために、本発明は、ただボタンを押すことによって、携帯電話を自動的に開く携帯電話用自動ヒンジモジュールを提供する。ボタンが押される時、携帯電話の折畳み部に連結されたハウジングは圧縮されたねじりバネの弾性的復元力によって回転させられ、それによって、携帯電話が開かれる。
【０００８】
該ヒンジモジュールは、中空の第一ハウジングと、前記第一ハウジングを通過するシャフトと、前記シャフトの一端に連結されたボタンと、包囲するように前記シャフトに連結されたメインカムと、前記メインカムにカム接触した状態で回転可能なサブカムと、前記サブカムを前記メインカムに向かって弾性的に支持するための第一バネと、前記シャフトに回転可能に連結されるとともに、一端において前記サブカム内に挿入され、かつ他端において前記第一ハウジング内に挿入されて、前記サブカム又は前記第一ハウジングと共に回転するスライダと、前記スライダに接触して、前記スライダを移動させるために、前記シャフトに固定して連結される係合部材と、前記スライダを弾性的に支持するための第二バネと、前記第一ハウジングの他端及び前記シャフトの他端に係合するストッパと、一端において前記第一ハウジングに固定され、かつ他端において前記ストッパに固定されるねじりバネとを備える。
【０００９】
係止突起が前記スライダの外周面に突出して形成される。前記係止突起の一端が挿入される第一スロット孔が前記サブカムに形成される。前記係止突起の他端が挿入される第二スロット孔が前記第一ハウジングに形成される。
【００１０】
前記係合部材は、前記シャフトの移動によって、前記スライダを押し、前記スライダの係止突起を、前記サブカム上に形成された前記第一スロット孔から分離する。
前記係止突起と、前記第一スロット孔と、前記第二スロット孔との各々は等間隔で離間するように複数形成される。
【００１１】
前記係止突起と、前記第一スロット孔と、前記第二スロット孔との各々は、１２０度の間隔で離間する。
第二傾斜面が前記係止突起に形成され、第一傾斜面が前記第一スロット孔に形成される。前記第一傾斜面は、前記ねじりバネの回転方向において前記第二傾斜面に接触し得る。
【００１２】
前記メインカムは、包囲するように前記シャフトに取付けられ、かつ前記携帯電話に固定して連結される固定カムと、前記シャフトに回転可能に取付けられ、かつ前記固定カム及び前記サブカムの間においてカム接触する保持カムとを備える。前記シャフトは前記固定カムに対して独立して直線的に移動する。
【００１３】
複数の第一カム突起が、前記第一スロット孔に対向して突出するように前記サブカムに形成される。前記第一カム突起が挿入される複数の第一カム溝が、前記保持カムに形成される。前記第一カム突起は互いに前記第一スロット孔と同じ間隔で離間する。
【００１４】
前記スライダの係止突起が挿入される第三スロット孔が、前記保持カムに形成される。
第二カム突起が前記固定カムにおいて前記保持カムに向かって形成される。第二カム溝及び第三カム溝が前記保持カムにおいて前記固定カムに向かって形成される。前記保持カムが０度に回転する時、前記第二カム突起は前記第二カム溝に配置される。前記保持カムが回転する時、前記第二カム突起は前記第三カム溝に配置される。前記第二カム溝及び前記第三カム溝の間の間隔は、前記第一カム溝の間の間隔と同一である。
【００１５】
前記第三カム溝の傾斜面は前記第二カム溝の傾斜面より緩やかである。
長尺状開口は前記シャフトの移動方向に沿って前記固定カムに形成される。前記シャフトを貫通する固定ピンは前記長尺状開口に取付けられる。
【００１６】
前記ヒンジモジュールは、前記メインカムと、前記サブカムと、前記スライダと、前記第一バネとを包囲するための第二ハウジングをさらに備える。該第二ハウジングは前記第一ハウジングの一部を包囲し、かつ前記第一ハウジングと共に回転する。
【００１７】
前記シャフトの前記他端は前記ストッパに連結される。前記ストッパは前記シャフトによって回転させられることを防止される。前記シャフトは前記ストッパに対して直線的に移動するように取付けられる。
【００１８】
回転防止突起が前記シャフトの前記他端に突出するように形成される。さらに、前記回転防止突起が挿入される回転防止溝が前記ストッパに形成される。前記シャフトは前記ストッパに対して独立して直線的に移動可能である。前記シャフトは前記ストッパに対して回転することを防止される。
【発明の効果】
【００１９】
上述の本発明の携帯電話の自動ヒンジモジュールによると、ただボタンを押すことにより、携帯電話のカバー部材が開くため、あらゆる人が容易に携帯端末を開くことが可能である。
【図面の簡単な説明】
【００２０】
【図１】本発明の一実施形態による携帯電話の自動ヒンジモジュールの斜視図。
【図２】本発明の一実施形態による携帯電話の自動ヒンジモジュールを一方向から示す分解斜視図。
【図３】本発明の一実施形態による携帯電話の自動ヒンジモジュールを別の方向から示す分解斜視図。
【図４】本発明の一実施形態による保持カム及びサブカムを示す斜視図。
【図５】本発明の一実施形態によるサブカム及びスライダを示す斜視図。
【図６】本発明の一実施形態によるスライダ及び第一ハウジングを示す斜視図。
【図７】本発明の一実施形態によるシャフトと、係合部材と、ストッパとの間の連結を示す斜視図。
【図８】一部の部品は断面を示す本発明の一実施形態による携帯電話の自動ヒンジモジュールを示す斜視図。
【図９】一部の部品は断面を示す本発明の一実施形態による携帯電話の自動ヒンジモジュールを示す斜視図。
【図１０】本発明の一実施形態による自動ヒンジモジュール及び携帯電話を示す分解斜視図。
【図１１】本発明の一実施形態による携帯電話の折畳み部が閉じられる動作を示す概略図。
【図１２】図１１において、自動回転のためにボタンが押される動作を示す概略図。
【図１３】図１２において、携帯電話の折畳み部が完全に開かれる（１６０度回転する）動作を示す概略図。
【図１４】図１２において、携帯電話の折畳み部が１２０度開かれる動作を示す概略図。
【図１５】図１４において、閉じるために携帯電話の折畳み部が逆回転する動作を示す概略図。
【図１６】図１１において、手動回転のために携帯電話の折畳み部が回転する動作を示す概略図。
【図１７】図１６において、携帯電話の折畳み部が完全に開かれる（１６０度回転する）動作を示す概略図。
【図１８】図１６において、携帯電話の折畳み部が１２０度回転する動作を示す概略図。
【図１９】図１８において、閉じるために携帯電話の折畳み部が逆回転する動作を示す概略図。
【発明を実施するための形態】
【００２１】
図１は、本発明の一実施形態による携帯電話の自動ヒンジモジュールである。図２は本発明の一実施形態による携帯電話の自動ヒンジモジュールを一方向から示す分解斜視図である。図３は本発明の一実施形態による携帯電話の自動ヒンジモジュールを別の方向から示す分解斜視図である。図４は本発明の一実施形態による保持カム及びサブカムを示す斜視図である。図５は本発明の一実施形態によるサブカム及びスライダを示す斜視図である。図６は本発明の一実施形態によるスライダ及び第一ハウジングを示す斜視図である。図７は本発明の一実施形態によるシャフトと、係合部材と、ストッパとの間の連結を示す斜視図である。図８及び９は一部の部品は断面を示す本発明の一実施形態による携帯電話の自動ヒンジモジュールを示す斜視図である。図１０は本発明の一実施形態による自動ヒンジモジュール及び携帯電話を示す分解斜視図である。
【００２２】
本発明の携帯電話の自動ヒンジモジュールは、第一ハウジング３１０，第二ハウジング３１８，シャフト３２０，ボタン３２６，メインカム，サブカム３５０，第一バネ３８１，スライダ３６０，係合部材３２２，第二バネ３８２，ストッパ３７０，ねじりバネ３８５等を備える。
【００２３】
第一ハウジング３１０は、長手方向側面に開口を備えた中空形状を有する。第一ハウジング３１０の内側には、シャフト３２０の一部，第二バネ３８２，ストッパ３７０，及びねじりバネ３８５が取付けられている。
【００２４】
第二ハウジング３１８は中空形状を有する。第二ハウジングは第一ハウジング３１０の一側面を包囲して取付けられ、かつ第一ハウジング３１０と共に回転する。第二ハウジング３１８の外側は、図１０に示す携帯電話の折畳み部３９５に連結されている。第二ハウジング３１８の内側には、シャフト３２０の一部，メインカム，サブカム３５０，係合部材３２２，スライダ３６０，及び第一バネ３８１が取付けられている。
【００２５】
シャフト３２０は、第一ハウジング３１０及び第二ハウジング３１８を通過するように取付けられている。さらに、シャフト３２０は、回転せず、かつ直線的にだけ移動するように取付けられている。このために、シャフト３２０の一端は、（後述する）携帯電話のメインボディ３９０に固定して連結されるメインカムの間で固定カム３３０に回転しないように連結される。シャフト３２０の前記一端には、使用者が押すことのできるボタン３２６が取付けられている。
【００２６】
また、シャフト３２０の中間には、スライダ３６０に接触し、かつスライダ３６０を移動させる係合部材３２２が取付けられている。係合部材３２２はシャフト３２０と一体的に形成されることができるが、組立て時の便宜性のために分けて製造し、連結される。図７に示すように、係合部材３２２は、シャフト３２０と一緒に移動するように、シャフト３２０に固定して連結されている。
【００２７】
メインカムは、シャフト３２０を包囲するように取付けられている。メインカムは固定カム３３０と、保持カム３４０とからなる。固定カム３３０は、シャフト３２０を包囲するように、ボタン３２６に非常に近接して取付けられている。第二カム突起３３２は、ボタン３２６と反対に、即ち保持カム３４０に向かって、固定カム上に突出するように形成されている。
【００２８】
シャフト３２０は、固定カム３２０に対し、独立して回転することはできない。代わりに、シャフト３２０は、固定カムに対し、独立して直線的に移動することが可能である。このために、固定カム３３０はシャフト３２０を包囲するように取付けられるが、固定カム３３０の内側と、シャフト３２０の外側とは、互いに係合可能な段状部を備えるように構成されている。これにより、シャフト３２０は固定カム３３０に対し、独立して回転できない。
【００２９】
さらに、長尺状開口３３４が、シャフト３２０の移動方向に沿って、固定カム３３０に形成されている。シャフト３２０を貫通する固定ピン３３９が、長尺状開口３３４に取付けられている。即ち、固定カム３３０及びシャフト３２０は、固定ピン３３９を介して連結されている。シャフト３２０は、固定ピン３３９と共に、長尺状開口３３４に沿って直線的に移動する。
【００３０】
固定ピン３３９は、固定カム３３０及びシャフト３２０を互いに連結している。これにより、本発明の構成部品が、第一バネ３８１と、第二バネ３８２と、ねじりバネ３８５との弾性力によって互いに分離することを防ぎ、単一の組立体を形成している。
【００３１】
固定カム３３０は、携帯電話のメインボディ３９０に直接固定されることができる。また、図面に示すように、固定カムは、固定カム３３０を包囲するように構成された固定カムカバー３３６を介して、携帯電話のメインボディ３９０に連結されることができる。固定カムカバー３３６を用いる場合には、固定ピン３３９が滑動可能である長尺状開口３３８が、固定カムカバー３３６に形成される。
【００３２】
保持カム３４０は、シャフト３２０を単純に包囲するように取付けられている。保持カムは、シャフト３２０に対して独立して回転し、かつ直線的に移動することができる。保持カム３４０は、固定カム３３０と、サブカム３５０との間に配置されている。保持カムは、固定カム３３０と、サブカム３５０との両方とにカム接触することができる。
【００３３】
図４に示すように、第二カム突起３３２を配置するための第二カム溝３４２及び第三カム溝３４３が、保持カム３４０に、固定カム３３０へ向かって形成されている。保持カム３４０が０度に回転する時、第二カム突起３３２は第二カム溝３４２上に配置される。保持カム３４０が特定角度（例えば１２０度）回転する時、第二カム突起３３２は第三カム溝３４３上に配置される。第二カム溝３４２と第三カム溝３４３との間隔は、サブカム３５０に設けられた第一カム溝３４１の間の離間した距離に一致するように設定されている。さらに、図４（ｂ）に示すように、第三カム溝３４３の傾斜面３４３ａは、第二カム溝３４２の傾斜面３４２ａよりも緩やかである。
【００３４】
サブカム３５０はシャフト３２０を単純に包囲するように取付けられ、サブカムはシャフト３２０に対して回転し、かつシャフト３２０に対して独立して直線的に移動することが可能である。サブカム３５０はメインカムの保持カム３４０とカム接触する。このために、図４に示すように、複数の第一カム突起３５１が、保持カム３４０へ向かって突出するように、サブカム３５０に形成され、第一カム突起３５１が挿入される多くの第一カム溝３４１が保持カム３４０に形成されている。
【００３５】
第一カム突起３５１及び第一カム溝３４１は、同一の間隔で離間している。望ましくは、第一カム突起３５１及び第一カム溝３４１は１２０度の間隔で離間している。
さらに、サブカム３５０及び第一ハウジング３１０の間に、サブカム３５０をメインカムに向かって弾性的に支持する第一バネ３８１は、図８及び９に示すように、取付けられている。
【００３６】
図５に示すように、スライダ３６０の係止突起３６５が挿入される第一スロット孔３５５が、サブカム３５０の第一カム突起３５１が形成される側面と反対の他端に形成されている。スライダ３６０はシャフト３２０を包囲し、シャフト３２０に回転可能に取付けられている。
【００３７】
シャフト３２０は、一端においてサブカム３５０内に挿入され、かつ他端において第一ハウジング３１０内に挿入され、それによって、サブカム３５０及び第一ハウジング３１０の少なくとも一方と共に回転する。
【００３８】
このために、係止突起３６５はサブカム３５０の外周面に突出して形成されている。さらに、図５に示すように、係止突起３６５の一端が挿入される第一スロット孔３５５がサブカム３５０に形成されている。またさらに、図６に示すように、係止突起３６５の他端が挿入される第二スロット孔３１５が、第一ハウジング３１０に形成されている。
【００３９】
係止突起３６５と、第一スロット孔３５５と、第二スロット孔３１５とは複数設けられている。係止突起３６５，第一スロット孔３５５，及び第二スロット孔３１５の各々は等間隔で離間している。望ましくは、係止突起３６５と、第一スロット孔３５５と、第二スロット孔３１５とは１２０度だけ離間している。
【００４０】
図５に示すように、第二傾斜面３６６が係止突起３６５に形成され、第一傾斜面３５６が第一スロット孔３５５に形成されている。第一傾斜面は、ねじりバネ３８５が解放されて、回転する方向において、第二傾斜面３６６と接触する。
【００４１】
さらに、第一カム突起３５１は、第一スロット孔３５５と同一の間隔で離間している。
また、図４に示すように、スライダ３６０の係止突起３６５が挿入される第三スロット孔３４５が、保持カム３４０に形成されている。
【００４２】
図８及び９に示すように、スライダ３６０及び第一ハウジング３１０の間に、スライダ３６０をメインカムに向かって弾性的に支持する第二バネ３８２が取付けられている。ねじりバネ３８５の一端は第一ハウジング３１０に固定され、ねじりバネ３８５の他端はストッパ３７０に固定されている。ねじりバネ３８５は圧縮されて、第一ハウジング３１０に取付けられている。
【００４３】
このような場合において、第一ハウジング３１０を回転させるように前記圧縮されたねじりバネ３８５を解放するために、ストッパ３７０は、回転不能に固定して連結されている。このために、図７に示すように、ストッパ３７０は、回転しないシャフト３２０の前記他端に連結されている。さらに、ストッパ３７０は、第一ハウジング３１０が回転できるように、第一ハウジング３１０の他端に連結されている。特に、ストッパ３７０はシャフト３２０に連結され、シャフト３２０は、固定カム３３０に係合することによって回転不能となり、回転を制限される。シャフト３２０は、ストッパ３７０に対して直線的に移動するように、取付けられている。
【００４４】
このため、回転防止突起３２４が、シャフト３２０の前記他端に左右対称に形成され、回転防止突起３２４が挿入される回転防止溝３７４が、シャフト３２０の長手方向に沿って、ストッパ３７０に形成されている。従って、ストッパ３７０は、回転防止突起３２４と、回転防止溝３７４とによって、シャフトに対して独立して回転することが制限されている。しかし、シャフト３２０の回転防止突起３２４は回転防止溝３７４に沿って直線的に移動可能であるため、シャフト３２０はストッパ３７０に対して独立して直線的に移動可能である。回転防止溝３７４がシャフト３２０の前記他端に形成され、回転防止突起３２４がストッパ３７０に形成されることもできる。
【００４５】
要するに、固定カム３３０と、シャフト３２０と、ストッパ３７０とが互いに独立して回転することができない状態で連結され、かつ固定カム３３０は携帯電話のメインボディ３９０に固定して連結されるため、固定カム３３０と、シャフト３２０と、ストッパ３７０とは回転することができない。
【００４６】
さて、本発明の動作を以下で説明する。図１１は本発明の一実施形態による携帯電話の折畳み部が閉じられる動作の概念図である。
折畳み部３９５が図１１に示すように閉じられる時、圧縮して取付けられているねじりバネ３８５は回転力を生成する。しかし、ねじりバネ３８５の一端を固定している第一ハウジング３１０と、サブカム３５０とがスライダ３６０を介して噛合している。
【００４７】
さらに、サブカム３５０は、保持カム３４０にカム係合している。保持カム３４０は固定カム３３０に係合し、固定カム３３０は携帯電話のメインボディ３９０に固定して、回転不能に連結されている。従って、第一ハウジング３１０は回転できない。そのようにして、第一ハウジング３１０及び第二ハウジング３１８が連結される折畳み部３９５は同様に回転できない。
【００４８】
さらに、ねじりバネ３８５の前記他端はシャフト３２０と共に噛合しているストッパ３７０に連結されている。シャフト３２０は固定カム３３０に回転不能に係合するため、ストッパ３７０も回転できない。従って、ねじりバネ３８５は両方向に回転不能に維持される。
【００４９】
＊  自動開放
図１２は、図１１において、自動回転のためにボタンが押される動作の概略図である。図１３は、図１２において、折畳み部が完全に開かれる（１６０度回転する）動作の概略図である。図１４は、図１２において、折畳み部が１２０度回転する動作の概略図である。図１５は、図１４において、閉じるために、折畳み部が逆回転する動作の概略図である。
【００５０】
折畳み部３９５が図１１に示すように閉じられる時、使用者が、図１２に示すように左側に向かってボタン３２６を押すと、ボタン３２６の移動が係合部材３２２及びシャフト３２０を左へ移動させる。この時、シャフト３２０はストッパ３７０に形成された回転防止溝３７４に沿って左へ移動する。さらに、係合部材３２２に接触しているスライダ３６０は、第二バネ３８２を圧縮しながら、左に移動する。スライダ３６０の移動と共に、サブカム３５０の第一スロット孔３５５内に挿入されている係止突起３６５は第一スロット孔３５５から分離し、離間する方向に移動する。スライダ３６０がサブカム３５０から離間する方向に移動すると、圧縮されたねじりバネ３８５の解放力が第一ハウジング３１０を回転させる。特に、ねじりバネ３８５の一端は第一ハウジング３１０に固定され、他端はストッパ３７０に固定されている。さらに、ストッパ３７０は携帯電話のメインボディ３９０に、シャフト３２０及び固定カム３３０を介して固定して連結されている。従って、第一ハウジング３１０は相対的に回転させられる。第一ハウジング３１０を包囲する第二ハウジング３１８と、第一ハウジング３１０の第二スロット孔３１５内に挿入されたスライダ３６０とは、第一ハウジング３１０の回転によって共に回転させられる。第二ハウジング３１８の回転と共に、第二ハウジング３１８が連結されている携帯電話の折畳み部は共に回転させられる。
【００５１】
図１３に示すように、第一ハウジング３１０と、第二ハウジング３１８と、スライダ３６０とは約１６０度だけ回転させられ、それによって折畳み部３９５は完全に開くことができる。この場合、ボタン３２６は折畳み部３９５が完全に開くまで押される。これにより、スライダ３６０が回転中に１２０度だけ回転した時に、１２０度の間隔で配置された第一スロット孔３５５内に挿入されない。
【００５２】
使用者が携帯電話の完全に開かれた位置から約１２０度の角度に開かれた位置に変更する必要がある時、使用者は、図１４に示すように、折畳み部３９５を逆回転させる。折畳み部３９５の逆回転は、第一ハウジング３１０と、第二ハウジング３１８と、スライダ３６０とを逆回転させる。
【００５３】
携帯電話が約１２０度の角度で開かれる場合、スライダ３６０に形成された係止突起３６５はサブカム３５０に形成された第一スロット孔３５５に整合される。この時、図１４に示すように、係止突起３６５は、圧縮された第二バネ３８２の弾性的復元力によって、第一スロット孔３５５内に挿入され、それによってスライダ３６０はサブカム３５０に挿入され、固定される。この場合、ねじりバネ３８５の弾性力は、スライダ３６０を回転させることができる力よりも小さくなくてはならない。
【００５４】
使用者が再度１６０度の角度で折畳み部３９５を完全に開きたいときには、使用者は手動で折畳み部３９５を回転させる。１６０度の角度で折畳み部３９５を完全に開くために、第一ハウジング３１０と、第二ハウジング３１８と、スライダ３６０とは、携帯電話の折畳み部の順回転によって回転されなければならない。スライダ３６０に形成された係止突起３６５は第一スロット孔３５５内に挿入されたまま留まる。
【００５５】
しかし、図４及び１４に示すように、第一傾斜面３５６はねじりバネ３８５の解放される方向に第一スロット孔３５５に形成され、かつ第一傾斜面３６５に対応する第二傾斜面３６６は係止突起３６５に形成されている。従って、係止突起３６５の第二傾斜面３６６は、第一スロット孔３５５に形成された第一傾斜面３５６に沿って進む間に、サブカム３５０から分離する。スライダ３６０がサブカム３５０から分離すると、第一ハウジング３１０と、第二ハウジング３１８と、スライダ３６０とは、ねじりバネ３８５の弾性力によって１６０度まで再度回転させられる。
【００５６】
使用者が折畳み部３９５を完全に閉じたい時、使用者は図１４に示すように折畳み部３９５が１２０度の角度で開かれた状態、即ち、スライダ３６０の係止突起３６５がサブカム３５０の第一スロット孔３５５に挿入された状態から、折畳み部３９５を逆回転させる。その後、図１５に示すように、第一ハウジング３１０と、第二ハウジング３１８と、スライダ３６０とは、再度ねじりバネを圧縮しながら、逆回転させられる。結果として、スライダ３６０が挿入されているサブカム３５０は、第一バネ３８１を圧縮しながら、逆回転させられる。特に、サブカム３５０の第一カム突起３５１が保持カム３４０の第一カム溝３４１から滑動しながら、係合状態から解除されると、第一バネ３８１が圧縮される。この場合、固定カム３３０の第二カム突起３３２と、保持カム３４０の第二カム溝３４２との間に生じる摩擦力は、サブカム３５０の第一カム突起３５１と、保持カム３４０の第二カム溝３４２との間の摩擦力よりも大きくなくてはならない。
【００５７】
サブカム３５０が図１４に示す状態から１２０度だけ逆回転する時、第一カム突起３５１は保持カム３４０に１２０度の間隔で形成されている別の第一カム溝３４１に整合する。この場合、第一バネ３８１が圧縮されたままであるため、第一カム突起３５１は第一バネ３８１の弾性的復元力によって第一カム溝３４１内に挿入される。このようにして、携帯電話の折畳み部３９５は図１１に示すように閉じられることができる。
【００５８】
＊  手動開放
図１６は、図１１において、手動回転するために折畳み部が若干回転する動作を示す概略図である。図１７は、図１６において、折畳み部が完全に開かれる（１６０度回転する）動作を示す概略図である。図１８は、図１６において、折畳み部が１２０度回転する動作を示す概略図である。図１９は、図１８において、折畳み部が逆回転する動作を示す概略図である。
【００５９】
図１１に示す折畳み部３９５の閉じた位置から折畳み部３９５を開くために、使用者は、ボタン３２６を押す代わりに、折畳み部３９５をつかんで回転させる。折畳み部３９５が若干回転すると、第一ハウジング３１０と、第二ハウジング３１８と、スライダ３６０とは、図１６に示すように、順回転する。スライダ３６０が回転すると、スライダ３６０が挿入されているサブカム３５０が、第一バネ３８１を圧縮しながら回転する。さらに、サブカム３５０とカム接触する保持カム３４０も回転する。保持カム３４０がサブカム３５０と共に回転する時、保持カム３４０は第一バネ３８１を圧縮する方向に沿って移動し、サブカム３５０の回転中に第一カム突起３５１と第一カム溝３４１との間に生じる摩擦力によって若干回転する。この時、スライダ３６０の係止突起３６５は保持カム３４０に形成された第三スロット孔３４５内に挿入されている。従って、保持カム３４０は、サブカム３５０と同様に、係止突起３６５を介してスライダ３６０と共に回転する。
【００６０】
固定カム３３０に形成された第二カム突起３３２が保持カム３４０の第二カム溝３４２による係合状態から解除されると、第一ハウジング３１０と、第二ハウジング３１８と、スライダ３６０と、サブカム３５０と、保持カム３４０とは、ねじりバネ３８５の弾性的復元力によって、共に回転する。
【００６１】
特に、ねじりバネ３８５は、一端において第一ハウジング３１０に連結され、かつ他端においてストッパ３７０に連結され、かつストッパ３７０はシャフト３２０及び固定カム３３０を介して携帯電話のメインボディ３９０に回転不能に固定されているため、第一ハウジング３１０は、ねじりバネ３８５が解放される間、回転可能である。
【００６２】
この場合、図１７に示すように、保持カム３４０は、第二カム突起３３２が第二カム溝３４２から１２０度離間した第三カム溝３４３を越えるように、１６０度まで回転する。このために、第二カム溝３４２から離間している第三カム溝３４３の側面に、平坦部または僅かな隆起部が形成されている。これにより、第二カム突起３２２が第三カム溝３４３を越えてさらに回転することが可能である。
【００６３】
第二カム突起３３２が第三カム溝３４３に接近すると、サブカム３５０と、保持カム３４０とは、圧縮された第一バネ３８１の弾性的復元力によって、固定カム３３０に向かって、強く移動させられ、回転させられる。第二ハウジング２１８の回転と共に、折畳み部３９５は、図１７に示すように、１６０度の角度で完全に開く。
【００６４】
携帯電話が１６０度の角度で完全に開いた状態において、図１８に示すように、使用者が１２０度の角度で携帯電話を開く必要がある時、使用者は折畳み部３９５を逆回転させる。折畳み部３９５の逆回転は、第一ハウジング３１０と、第二ハウジング３１８と、サブカム３５０と、保持カム３４０とを逆回転させる。このような逆回転は、第二カム突起３３２が第三カム溝３４３に配置されるまで、続けられる。
【００６５】
使用者がこのような状態から再度１６０度、折畳み部３９５を開きたい時、使用者は手動で折畳み部３９５を回転させる。
この場合、サブカム３５０と、保持カム３４０とは第一バネ３８１の弾性力の下で第二カム突起３３２に力強く接触しているため、サブカム３５０と保持カム３４０とは勝手に回転することが防止される。
【００６６】
さらに、使用者が折畳み部３９５を完全に閉じたい時、折畳み部３９５が１２０度の角度で開かれた図１８に示す状態、即ち、第二カム突起３３２が第三カム溝３４３に配置された状態から、使用者は折畳み部３９５を逆回転させる。第一ハウジング３１０と、第二ハウジング３１８と、スライダ３６０と、サブカム３５０と、保持カム３４０とは、再度、ねじりバネ３８５を押しながら、逆回転する。さらに、保持カム３４０は、第一カム突起３５１と第一カム溝３４１との間に生じる摩擦力によって、第三カム溝３４３の傾斜面３４３ａ上を滑動しながら、第一バネ３８１を圧縮する方向に沿って、僅かに移動させられる。この時、スライダ３６０の係止突起３６５は、保持カム３４０に形成された第三スロット孔３４５内に挿入されている。従って、保持カム３４０はスライダ３６０と共に回転する。
【００６７】
このため、固定カム３３０の第二カム突起３３２と保持カム３４０の第二カム溝３４２との間に生じる摩擦力は、サブカム３５０の第一カム突起３５１と保持カム３４０の第二カム溝３４２との間に生じる摩擦力より小さくなくてはならない。このことは、第三カム溝３４３の傾斜面３４３ａを第二カム溝３４２の傾斜面３４２ａよりも緩やかにすることによって実現できる。
【００６８】
第二カム突起３３２が、図１９に示すように、保持カム３４０の逆回転に伴って第二カム溝３４２に接近すると、圧縮された第一バネ３８１の弾性的復元力の下、保持カム３４０は自動的に回転し、第二カム溝３４２は、第二カム突起３３２に沿って滑動する。保持カム３４０の逆回転は、サブカム３５０と、スライダ３６０と、第一ハウジング３１０と、第二ハウジング３１８を逆回転させ、それによって、第二ハウジング３１８に連結された折畳み部３９５を逆回転させる。そのようにして、携帯電話は、図１１に示すように、閉じられる。
【００６９】
上述の実施形態において、固定カム３３０は携帯電話のメインボディ３９０に固定して連結され、第一ハウジング３１０及び第二ハウジング３１８の少なくとも一方は折畳み部３９５に固定して連結される。しかし、必要によって、固定カム３３０が折畳み部３９５に固定して連結され、かつ第一ハウジング３１０及び第二ハウジング３１８の少なくとも一方が携帯電話のメインボディ３９０に固定して連結されても、同じ効果を得ることができる。
【００７０】
本発明の携帯電話用の自動ヒンジモジュールは上述の実施形態に限定されるべきでなく、本発明の対象の範囲内の様々な形で具現化することができる。
【符号の説明】
【００７１】
３１０…第一ハウジング、３１５…第二スロット孔、３１８…第二ハウジング、３２０…シャフト、３２２…係合部材、３２４…回転防止突起、３２６…ボタン、３３０…固定カム、３３２…第二カム突起、３３４，３３８…長尺状開口、３３６…固定カム用カバー、３３９…固定ピン、３４０…保持カム、３４１…第一カム溝、３４２…第二カム溝、３４３…第三カム溝、３４５…第三スロット孔、３５０…サブカム、３５１…第一カム突起、３５５…第一スロット孔、３５６…第一傾斜面、３６０…スライダ、３６５…係止突起、３６６…第二傾斜面、３７０…ストッパ、３７４…回転防止溝、３８１…第一バネ、３８２…第二バネ、３８５…ねじりバネ、３９０…携帯電話のメインボディ、３９５…携帯電話の折畳み部。
【図１】
2011503466.tif 000003
【図２】
2011503466.tif 000004
【図３】
2011503466.tif 000005
【図４】
2011503466.tif 000006
【図５】
2011503466.tif 000007
【図６（ａ）】
2011503466.tif 000008
【図６（ｂ）】
2011503466.tif 000009
【図７】
2011503466.tif 000010
【図８】
2011503466.tif 000011
【図９】
2011503466.tif 000012
【図１０】
2011503466.tif 000013
【図１１（ａ）】
2011503466.tif 000014
【図１１（ｂ）】
2011503466.tif 000015
【図１２（ａ）】
2011503466.tif 000016
【図１２（ｂ）】
2011503466.tif 000017
【図１３（ａ）】
2011503466.tif 000018
【図１３（ｂ）】
2011503466.tif 000019
【図１４（ａ）】
2011503466.tif 000020
【図１４（ｂ）】
2011503466.tif 000021
【図１５（ａ）】
2011503466.tif 000022
【図１５（ｂ）】
2011503466.tif 000023
【図１６（ａ）】
2011503466.tif 000024
【図１６（ｂ）】
2011503466.tif 000025
【図１７（ａ）】
2011503466.tif 000026
【図１７（ｂ）】
2011503466.tif 000027
【図１８（ａ）】
2011503466.tif 000028
【図１８（ｂ）】
2011503466.tif 000029
【図１９（ａ）】
2011503466.tif 000030
【図１９（ｂ）】
2011503466.tif 000031
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
携帯端末用のヒンジモジュールであって、該ヒンジモジュールは、
ハウジングと、
前記ハウジングを通過するシャフトと、
前記シャフトの一端に連結されたボタンと、
前記ハウジングの一端及び前記シャフトの他端に係合するストッパと、
一端において前記ハウジングに固定され、かつ他端において前記ストッパに固定されたねじりバネと、
前記シャフトに連結されたメインカムとを備え、
前記ハウジング及び前記メインカムとが、前記携帯端末の折畳み部とメインボディとにそれぞれ連結される場合、前記ボタンが押され、かつ前記ハウジングが前記ねじりバネの弾性的復元力によって回転させられる時、前記携帯端末を自動的に開くように動作可能である、ヒンジモジュール。
【請求項２】
前記ヒンジモジュールは、
サブカムと、
回転可能に前記シャフトに連結され、かつ一端において前記サブカム内に挿入され、かつ他端において前記ハウジング内に挿入されて、前記サブカム又は前記ハウジングと共に回転するスライダと、
前記スライダに接触して前記スライダを移動させるために前記シャフトに固定して連結された係合部材とをさらに備え、
前記メインカムは前記シャフトに取付けられた固定カムと、前記シャフトに回転可能に取付けられ、かつ前記固定カム及び前記サブカムの間にカム接触する保持カムとを備え、
前記シャフトは、前記固定カムに対して独立して直線的に移動する、請求項１に記載のヒンジモジュール。
【請求項３】
携帯端末であって、該携帯端末は、折畳み部と、メインボディと、前記携帯端末を自動的に開くように動作可能である請求項１に記載のヒンジモジュールとを備え、前記ヒンジモジュールは、
前記シャフトに回転可能に連結され、かつ一端において前記サブカム内に挿入され、かつ他端において前記ハウジング内に挿入されて、前記サブカム又は前記ハウジングと共に回転するスライダと、
前記スライダに接触して前記スライダを移動させるために前記シャフトに固定して連結された係合部材とをさらに備え、
前記ハウジングは前記携帯端末の折畳み部に連結され、
前記メインカムは、
前記シャフトに取付けられた固定カムであり、前記シャフトは該固定カムに対して独立して直線的に移動し、前記携帯端末のメインボディに連結された固定カムと、
前記シャフトに回転可能に取付けられ、かつ前記固定カム及び前記サブカムの間にカム接触する保持カムとを備え、
前記ねじりバネは、前記ボタンが押される時に前記携帯端末を自動的に開くために、前記ねじりバネに連結された前記ハウジング及び前記折畳み部を回転させるための力を加えるように動作可能である、携帯端末。
【請求項４】
前記ハウジングは中空の第一ハウジングを備え、
前記シャフトは前記第一ハウジングを通過し、
前記ストッパは前記第一ハウジングの一端および前記シャフトの他端に係合され、
前記ねじりバネは一端において前記第一ハウジングに固定され、かつ他端において前記ストッパに固定され、
前記ヒンジモジュールは、
前記メインカムにカム接触した状態で回転可能なサブカムと、
前記サブカムを前記メインカムに向かって弾性的に支持するための第一バネと、
前記シャフトに回転可能に連結されるとともに、一端において前記サブカム内に挿入され、かつ他端において前記第一ハウジング内に挿入されて、前記サブカム又は前記第一ハウジングと共に回転するスライダと、
前記スライダに接触して、前記スライダを移動させるために、前記シャフトに固定して連結される係合部材と、
前記スライダを弾性的に支持するための第二バネとをさらに備える、請求項１に記載のヒンジモジュール。
【請求項５】
係止突起は前記スライダの外周面に突出して形成され、前記係止突起の一端が挿入される第一スロット孔は前記サブカムに形成され、前記係止突起の他端が挿入される第二スロット孔は前記第一ハウジングに形成される、請求項４に記載のヒンジモジュール。
【請求項６】
前記係合部材は、前記シャフトの移動によって、前記スライダを押し、前記スライダの係止突起を前記サブカム上に形成された前記第一スロット孔から分離する、請求項５に記載のヒンジモジュール。
【請求項７】
前記係止突起と、前記第一スロット孔と、前記第二スロット孔との各々は等間隔で離間するように複数形成される、請求項５に記載のヒンジモジュール。
【請求項８】
前記係止突起と、前記第一スロット孔と、前記第二スロット孔との各々は１２０度の間隔で離間する、請求項７に記載のヒンジモジュール。
【請求項９】
第一傾斜面が前記第一スロット孔に形成され、第二傾斜面が前記係止突起に形成され、前記第一傾斜面は前記ねじりバネの回転方向において前記第二傾斜面に接触するように構成される、請求項５に記載のヒンジモジュール。
【請求項１０】
前記メインカムは、前記シャフトに取付けられる固定カムと、前記シャフトに回転可能に取付けられ、かつ前記固定カム及び前記サブカムの間においてカム接触する保持カムとを備え、前記シャフトは前記固定カムに対して独立して直線的に移動する、請求項７に記載のヒンジモジュール。
【請求項１１】
複数の第一カム突起が前記第一スロット孔に対向して突出するように前記サブカムに形成され、該第一カム突起が挿入される複数の第一カム溝が前記保持カムに形成され、前記第一カム突起は互いに前記第一スロット孔と同じ間隔で離間する、請求項１０に記載のヒンジモジュール。
【請求項１２】
前記スライダの係止突起が挿入される第三スロット孔が前記保持カムに形成される、請求項１０に記載のヒンジモジュール。
【請求項１３】
第二カム突起が前記固定カムにおいて前記保持カムに向かって形成され、第二カム溝及び第三カム溝が前記保持カムにおいて前記固定カムに向かって形成され、前記保持カムが０度に回転する時、前記第二カム突起は前記第二カム溝に配置され、前記保持カムが回転する時、前記第二カム突起は前記第三カム溝に配置され、前記第二カム溝および前記第三カム溝の間の間隔は前記第一カム溝の間の間隔と同一である、請求項１１に記載のヒンジモジュール。
【請求項１４】
前記第三カム溝の傾斜面は前記第二カム溝の傾斜面より緩やかである、請求項１３に記載のヒンジモジュール。
【請求項１５】
長尺状開口が前記シャフトの移動方向に沿って前記固定カムに形成され、前記シャフトを貫通する固定ピンが前記長尺状開口に取付けられる、請求項１０に記載のヒンジモジュール。
【請求項１６】
前記ヒンジモジュールは、前記メインカムと、前記サブカムと、前記スライダと、前記第一バネとを包囲するための第二ハウジングをさらに備え、該第二ハウジングは前記第一ハウジングの一部を包囲し、かつ前記第一ハウジングと共に回転する、請求項４に記載のヒンジモジュール。
【請求項１７】
前記シャフトの前記他端は前記ストッパに連結され、前記ストッパは前記シャフトによって回転させられることを防止され、前記シャフトは前記ストッパに対して直線的に移動するように取付けられる、請求項４に記載のヒンジモジュール。
【請求項１８】
回転防止突起が前記シャフトの前記他端に突出するように形成され、前記回転防止突起が挿入される回転防止溝が前記ストッパに形成され、前記シャフトは前記ストッパに対して独立して直線的に移動可能であり、かつ前記ストッパに対して回転することを防止される、請求項１７に記載のヒンジモジュール。
【請求項１９】
請求項４に記載のヒンジモジュールを備える携帯端末であって、ヒンジモジュールは、前記ボタンが押され、かつ前記携帯端末の一部が前記ねじりバネの弾性的復元力によって回転させられる時、前記携帯端末を自動的に開くように動作可能である、携帯端末。
【手続補正３】
【補正対象書類名】明細書
【補正対象項目名】００２０
【補正方法】変更
【補正の内容】
【００２０】
【図１】本発明の一実施形態による携帯電話の自動ヒンジモジュールの斜視図。
【図２】本発明の一実施形態による携帯電話の自動ヒンジモジュールを一方向から示す分解斜視図。
【図３】本発明の一実施形態による携帯電話の自動ヒンジモジュールを別の方向から示す分解斜視図。
【図４】一部の部品は断面を示す本発明の一実施形態による携帯電話の自動ヒンジモジュールを示す斜視図。
【図５】一部の部品は断面を示す本発明の一実施形態による携帯電話の自動ヒンジモジュールを示す斜視図。
【図６】本発明の一実施形態による保持カム及びサブカムを示す斜視図。
【図７】本発明の一実施形態によるサブカム及びスライダを示す斜視図。
【図８】本発明の一実施形態によるスライダ及び第一ハウジングを示す斜視図。
【図９】本発明の一実施形態によるシャフトと、係合部材と、ストッパとの間の連結を示す斜視図。
【図１０】本発明の一実施形態による自動ヒンジモジュール及び携帯電話を示す分解斜視図。
【図１１】本発明の一実施形態による携帯電話の折畳み部が閉じられる動作を示す概略図。
【図１２】図１１において、自動回転のためにボタンが押される動作を示す概略図。
【図１３】図１２において、携帯電話の折畳み部が完全に開かれる（１６０度回転する）動作を示す概略図。
【図１４】図１２において、携帯電話の折畳み部が１２０度開かれる動作を示す概略図。
【図１５】図１４において、閉じるために携帯電話の折畳み部が逆回転する動作を示す概略図。
【図１６】図１１において、手動回転のために携帯電話の折畳み部が回転する動作を示す概略図。
【図１７】図１６において、携帯電話の折畳み部が完全に開かれる（１６０度回転する）動作を示す概略図。
【図１８】図１６において、携帯電話の折畳み部が１２０度回転する動作を示す概略図。
【図１９】図１８において、閉じるために携帯電話の折畳み部が逆回転する動作を示す概略図。
【手続補正４】
【補正対象書類名】明細書
【補正対象項目名】００２１
【補正方法】変更
【補正の内容】
【００２１】
図１は、本発明の一実施形態による携帯電話の自動ヒンジモジュールである。図２は本発明の一実施形態による携帯電話の自動ヒンジモジュールを一方向から示す分解斜視図である。図３は本発明の一実施形態による携帯電話の自動ヒンジモジュールを別の方向から示す分解斜視図である。図４及び５は一部の部品が断面を示す本発明の一実施形態による携帯電話の自動ヒンジモジュールを示す斜視図である。図６は本発明の一実施形態による保持カム及びサブカムを示す斜視図である。図７は本発明の一実施形態によるサブカム及びスライダを示す斜視図である。図８は本発明の一実施形態によるスライダ及び第一ハウジングを示す斜視図である。図９は本発明の一実施形態によるシャフトと、係合部材と、ストッパとの間の連結を示す斜視図である。図１０は本発明の一実施形態による自動ヒンジモジュール及び携帯電話を示す分解斜視図である。
【手続補正５】
【補正対象書類名】明細書
【補正対象項目名】００２６
【補正方法】変更
【補正の内容】
【００２６】
また、シャフト３２０の中間には、スライダ３６０に接触し、かつスライダ３６０を移動させる係合部材３２２が取付けられている。係合部材３２２はシャフト３２０と一体的に形成されることができるが、組立て時の便宜性のために分けて製造し、連結される。図９に示すように、係合部材３２２は、シャフト３２０と一緒に移動するように、シャフト３２０に固定して連結されている。
【手続補正６】
【補正対象書類名】明細書
【補正対象項目名】００２８
【補正方法】変更
【補正の内容】
【００２８】
シャフト３２０は、固定カム３３０に対し、独立して回転することはできない。代わりに、シャフト３２０は、固定カムに対し、独立して直線的に移動することが可能である。このために、固定カム３３０はシャフト３２０を包囲するように取付けられるが、固定カム３３０の内側と、シャフト３２０の外側とは、互いに係合可能な段状部を備えるように構成されている。これにより、シャフト３２０は固定カム３３０に対し、独立して回転できない。
【手続補正７】
【補正対象書類名】明細書
【補正対象項目名】００３３
【補正方法】変更
【補正の内容】
【００３３】
図６に示すように、第二カム突起３３２を配置するための第二カム溝３４２及び第三カム溝３４３が、保持カム３４０に、固定カム３３０へ向かって形成されている。保持カム３４０が０度に回転する時、第二カム突起３３２は第二カム溝３４２上に配置される。保持カム３４０が特定角度（例えば１２０度）回転する時、第二カム突起３３２は第三カム溝３４３上に配置される。第二カム溝３４２と第三カム溝３４３との間隔は、サブカム３５０に設けられた第一カム溝３４１の間の離間した距離に一致するように設定されている。さらに、図６（ｂ）に示すように、第三カム溝３４３の傾斜面３４３ａは、第二カム溝３４２の傾斜面３４２ａよりも緩やかである。
【手続補正８】
【補正対象書類名】明細書
【補正対象項目名】００３４
【補正方法】変更
【補正の内容】
【００３４】
サブカム３５０はシャフト３２０を単純に包囲するように取付けられ、サブカムはシャフト３２０に対して回転し、かつシャフト３２０に対して独立して直線的に移動することが可能である。サブカム３５０はメインカムの保持カム３４０とカム接触する。このために、図６に示すように、複数の第一カム突起３５１が、保持カム３４０へ向かって突出するように、サブカム３５０に形成され、第一カム突起３５１が挿入される多くの第一カム溝３４１が保持カム３４０に形成されている。
【手続補正９】
【補正対象書類名】明細書
【補正対象項目名】００３５
【補正方法】変更
【補正の内容】
【００３５】
第一カム突起３５１及び第一カム溝３４１は、同一の間隔で離間している。望ましくは、第一カム突起３５１及び第一カム溝３４１は１２０度の間隔で離間している。
さらに、サブカム３５０及び第一ハウジング３１０の間に、サブカム３５０をメインカムに向かって弾性的に支持する第一バネ３８１は、図４及び５に示すように、取付けられている。
【手続補正１０】
【補正対象書類名】明細書
【補正対象項目名】００３６
【補正方法】変更
【補正の内容】
【００３６】
図７に示すように、スライダ３６０の係止突起３６５が挿入される第一スロット孔３５５が、サブカム３５０の第一カム突起３５１が形成される側面と反対の他端に形成されている。スライダ３６０はシャフト３２０を包囲し、シャフト３２０に回転可能に取付けられている。
【手続補正１１】
【補正対象書類名】明細書
【補正対象項目名】００３８
【補正方法】変更
【補正の内容】
【００３８】
このために、係止突起３６５はサブカム３５０の外周面に突出して形成されている。さらに、図７に示すように、係止突起３６５の一端が挿入される第一スロット孔３５５がサブカム３５０に形成されている。またさらに、図８に示すように、係止突起３６５の他端が挿入される第二スロット孔３１５が、第一ハウジング３１０に形成されている。
【手続補正１２】
【補正対象書類名】明細書
【補正対象項目名】００４０
【補正方法】変更
【補正の内容】
【００４０】
図７に示すように、第二傾斜面３６６が係止突起３６５に形成され、第一傾斜面３５６が第一スロット孔３５５に形成されている。第一傾斜面は、ねじりバネ３８５が解放されて、回転する方向において、第二傾斜面３６６と接触する。
【手続補正１３】
【補正対象書類名】明細書
【補正対象項目名】００４１
【補正方法】変更
【補正の内容】
【００４１】
さらに、第一カム突起３５１は、第一スロット孔３５５と同一の間隔で離間している。
また、図６に示すように、スライダ３６０の係止突起３６５が挿入される第三スロット孔３４５が、保持カム３４０に形成されている。
【手続補正１４】
【補正対象書類名】明細書
【補正対象項目名】００４２
【補正方法】変更
【補正の内容】
【００４２】
図４及び５に示すように、スライダ３６０及び第一ハウジング３１０の間に、スライダ３６０をメインカムに向かって弾性的に支持する第二バネ３８２が取付けられている。ねじりバネ３８５の一端は第一ハウジング３１０に固定され、ねじりバネ３８５の他端はストッパ３７０に固定されている。ねじりバネ３８５は圧縮されて、第一ハウジング３１０に取付けられている。
【手続補正１５】
【補正対象書類名】明細書
【補正対象項目名】００４３
【補正方法】変更
【補正の内容】
【００４３】
このような場合において、第一ハウジング３１０を回転させるように前記圧縮されたねじりバネ３８５を解放するために、ストッパ３７０は、回転不能に固定して連結されている。このために、図９に示すように、ストッパ３７０は、回転しないシャフト３２０の前記他端に連結されている。さらに、ストッパ３７０は、第一ハウジング３１０が回転できるように、第一ハウジング３１０の他端に連結されている。特に、ストッパ３７０はシャフト３２０に連結され、シャフト３２０は、固定カム３３０に係合することによって回転不能となり、回転を制限される。シャフト３２０は、ストッパ３７０に対して直線的に移動するように、取付けられている。
【手続補正１６】
【補正対象書類名】明細書
【補正対象項目名】００５０
【補正方法】変更
【補正の内容】
【００５０】
折畳み部３９５が図１１に示すように閉じられる時、使用者が、図１２に示すように右側に向かってボタン３２６を押すと、ボタン３２６の移動が係合部材３２２及びシャフト３２０を右へ移動させる。この時、シャフト３２０はストッパ３７０に形成された回転防止溝３７４に沿って右へ移動する。さらに、係合部材３２２に接触しているスライダ３６０は、第二バネ３８２を圧縮しながら、右に移動する。スライダ３６０の移動と共に、サブカム３５０の第一スロット孔３５５内に挿入されている係止突起３６５は第一スロット孔３５５から分離し、離間する方向に移動する。スライダ３６０がサブカム３５０から離間する方向に移動すると、圧縮されたねじりバネ３８５の解放力が第一ハウジング３１０を回転させる。特に、ねじりバネ３８５の一端は第一ハウジング３１０に固定され、他端はストッパ３７０に固定されている。さらに、ストッパ３７０は携帯電話のメインボディ３９０に、シャフト３２０及び固定カム３３０を介して固定して連結されている。従って、第一ハウジング３１０は相対的に回転させられる。第一ハウジング３１０を包囲する第二ハウジング３１８と、第一ハウジング３１０の第二スロット孔３１５内に挿入されたスライダ３６０とは、第一ハウジング３１０の回転によって共に回転させられる。第二ハウジング３１８の回転と共に、第二ハウジング３１８が連結されている携帯電話の折畳み部は共に回転させられる。
【手続補正１７】
【補正対象書類名】明細書
【補正対象項目名】００５５
【補正方法】変更
【補正の内容】
【００５５】
しかし、図６及び１４に示すように、第一傾斜面３５６はねじりバネ３８５の解放される方向に第一スロット孔３５５に形成され、かつ第一傾斜面３５６に対応する第二傾斜面３６６は係止突起３６５に形成されている。従って、係止突起３６５の第二傾斜面３６６は、第一スロット孔３５５に形成された第一傾斜面３５６に沿って進む間に、サブカム３５０から分離する。スライダ３６０がサブカム３５０から分離すると、第一ハウジング３１０と、第二ハウジング３１８と、スライダ３６０とは、ねじりバネ３８５の弾性力によって１６０度まで再度回転させられる。
【手続補正１８】
【補正対象書類名】明細書
【補正対象項目名】００６２
【補正方法】変更
【補正の内容】
【００６２】
この場合、図１７に示すように、保持カム３４０は、第二カム突起３３２が第二カム溝３４２から１２０度離間した第三カム溝３４３を越えるように、１６０度まで回転する。このために、第二カム溝３４２から離間している第三カム溝３４３の側面に、平坦部または僅かな隆起部が形成されている。これにより、第二カム突起３３２が第三カム溝３４３を越えてさらに回転することが可能である。
【手続補正１９】
【補正対象書類名】明細書
【補正対象項目名】００６３
【補正方法】変更
【補正の内容】
【００６３】
第二カム突起３３２が第三カム溝３４３に接近すると、サブカム３５０と、保持カム３４０とは、圧縮された第一バネ３８１の弾性的復元力によって、固定カム３３０に向かって、強く移動させられ、回転させられる。第二ハウジング３１８の回転と共に、折畳み部３９５は、図１７に示すように、１６０度の角度で完全に開く。
【国際調査報告】
2011503466.tif 000032
2011503466.tif 000033